(57)【特許請求の範囲】
【請求項１】
電気的な光源を有する灯体と、
前記灯体が収納される灯体収納凹部を有し前記灯体収納凹部の開口を上方に向けて埋込配設されるボックスと、
前記灯体収納凹部を閉塞する形で前記ボックスに固定されるカバーとを備え、
前記カバーは、前記光源の光を通過させる窓体と、弾性材料からなり前記窓体の全周にわたって前記窓体と前記ボックスとの間に介在するパッキンとを有し、
前記ボックスには、底面に前記灯体収納凹部が開口して前記カバーの一部が収納されるカバー収納凹部が設けられていて、
前記パッキンは、前記窓体を囲む環形状であって前記灯体収納凹部の開口の全周にわたって前記カバー収納凹部の底面に当接する本体部と、前記本体部の外周面に突出して前記カバー収納凹部の外側において前記ボックスに固定される鍔部とを有し、
前記カバー収納凹部の内周面の上端部には、上下方向に直交する断面でのカバー収納凹部の断面形状を上方に向かって大きくする方向に傾斜した傾斜部が設けられていて、
前記本体部の外周面には、前記鍔部に連結されて前記カバー収納凹部の全周にわたって前記傾斜部に弾接する連結凸部が突設されており、
前記本体部の外周面には、前記傾斜部の下側において前記カバー収納凹部の内周面に全周にわたって弾接する第１弾接凸部および第２弾接凸部が突設されており、
前記第１弾接凸部は、断面形状が三角形状であり、前記第２弾接凸部は、断面形状が半円形状であって前記第１弾接凸部よりも突出寸法が大きいことを特徴とする埋込型照明器具。
【発明の詳細な説明】
【技術分野】
【０００１】
本発明は、埋込型照明器具に関するものである。
【背景技術】
【０００２】
従来から、地中や床面等の施工面に設けられた埋込穴に埋込配設される埋込型照明器具が提供されている（例えば、特許文献１参照）。
【０００３】
この種の埋込型照明器具は、電気的な光源を有する灯体と、灯体が収納される収納凹部を有して埋込配設されるボックスと、収納凹部を閉塞する形で前記ボックスにねじ止め固定されるカバーとを備える。
【０００４】
上記のカバーは、光源の光を通過させる窓体と、弾性材料からなり上方から見て窓体を囲む環形状であって窓体とボックスとの間の隙間を閉塞するパッキンとを有する。
【先行技術文献】
【特許文献】
【０００５】
【特許文献１】特開２００５−２６１６５号公報
【発明の概要】
【発明が解決しようとする課題】
【０００６】
ここで、ボックスにおいて、上向きの面には、水平方向向きの面に比べ、砂等の異物が残留しやすい。従って、ボックスにおいてパッキンが弾接する面を上向きの面のみとした場合、ボックスとパッキンとの間に砂等が挟まることで防水性が損なわれる可能性が高くなる。
【０００７】
そして、防水性が損なわれた場合、ボックス内に浸入した水が故障の原因となることがある。
【０００８】
本発明は、上記事由に鑑みて為されたものであり、その目的は、防水性が改善された埋込型照明器具を提供することにある。
【課題を解決するための手段】
【０００９】
本発明の埋込型照明器具は、電気的な光源を有する灯体と、前記灯体が収納される灯体収納凹部を有して埋込配設されるボックスと、前記灯体収納凹部を閉塞する形で前記ボックスに固定されるカバーとを備え、前記カバーは、前記光源の光を通過させる窓体と、弾性材料からなり前記窓体を囲むパッキンとを有し、前記ボックスの外面には、底面に前記灯体収納凹部が開口したカバー収納凹部が設けられていて、前記パッキンは、前記窓体を囲む環形状であって前記灯体収納凹部の開口の全周にわたって前記カバー収納凹部の底面に当接する本体部と、前記本体部の外周面に突出して前記カバー収納凹部の外側において前記ボックスに固定される鍔部とを有し、前記本体部の外周面には、前記鍔部に連結されて前記カバー収納凹部の開口縁に全周にわたって弾接する連結凸部が突設されており、前記本体部の外周面には、前記傾斜部の下側において前記カバー収納凹部の内周面に全周にわたって弾接する第１弾接凸部および第２弾接凸部が突設されており、前記第１弾接凸部は、断面形状が三角形状であり、前記第２弾接凸部は、断面形状が半円形状であって前記第１弾接凸部よりも突出寸法が大きいことを特徴とする。
【発明の効果】
【００１１】
本発明によれば、パッキンがボックスの上向きの面にのみ弾接する場合に比べ、パッキンとボックスとの間に砂等の異物が挟まれにくいから、防水性が改善される。
【図面の簡単な説明】
【００１２】
【図１】本発明の実施形態の要部を示す断面図である。
【図２】同上を示す断面図である。
【図３】同上を示す分解斜視図である。
【図４】同上を示す平面図である。
【図５】同上を示す、カバーが分離された斜視図である。
【図６】同上においてカバーが取り外された状態の要部を示す斜視図である。
【図７】同上においてカバーが取り外された状態の要部を示す断面図である。
【図８】同上においてパッキンの要部を示す断面図である。
【図９】同上の比較例のパッキンの要部を示す断面図である。
【発明を実施するための形態】
【００１３】
以下、本発明を実施するための最良の形態について、図面を参照しながら説明する。
【００１４】
本実施形態は、図２〜図４に示すように、電気的な光源１０を有する灯体１と、灯体１が収納される灯体収納凹部２００を有して埋込配設されるボックス２と、灯体収納凹部２００を閉塞する形でボックス２にねじ止め固定されるカバー３とを備える。
【００１５】
以下、上下左右は図２を基準とし、図２の紙面に直交する方向を前後方向と呼ぶ。なお、上記の方向は説明の便宜上定義するものであり、実際の使用状態での方向とは必ずしも一致しない。
【００１６】
ボックス２は、全体として上下に開口した筒形状のボックス本体２１と、ボックス本体２１の下側の開口を閉塞する形でボックス本体２１に結合することで灯体収納凹部２００の底面を構成する底板２２とを有する。ボックス本体２１と底板２２とはそれぞれ例えばステンレスからなる。また、ボックス本体２１の下端と底板２２の上面との間には例えばゴムのような弾性材料からなる環形状のパッキン２３が介装される。ボックス本体２１と底板２２との結合は、ボックス本体２１とパッキン２３と底板２２とを貫通するボルト２７１と該ボルト２７１が螺合するナット２７２との組を複数組（図では８組）用いて実現される。
【００１７】
灯体収納凹部２００は、上下方向に直交する断面での断面形状が同軸の円形状となる軸対称な形状となっている。さらに、図５〜図７に示すように、ボックス２の上面には、底面の中央部に灯体収納凹部２００が開口した断面円形状の窪みであるカバー収納凹部２０１が設けられ、カバー収納凹部２０１の開口の周囲には、カバー３が固定されるカバー固定部２６が径方向の外向きに突設されている。
【００１８】
灯体１は、光源１０の光が出射する出射面１１を有して出射面１１を上方に向けて灯体収納凹部２００に収納される本体部１２と、上方から見て出射面１１を露出させる円環形状であってカバー収納凹部２０１に収納される枠部１３と、枠部１３の前後両端部と本体部１２とを連結する２個の腕部１４とを有する。光源１０は例えば発光ダイオードからなり、本体部１２に収納されている。本体部１２が灯体収納凹部２００に挿入可能な寸法形状とされる一方で、枠部１３の外径は灯体収納凹部２００の開口の内径よりも大きくされている。すなわち、枠部１３が灯体収納凹部２００の開口縁（カバー収納凹部２０１の内底面）に当接することで、灯体１は灯体収納凹部２００内の所定位置よりも下方への脱落を防止されている。また、枠部１３には、光の照射範囲を制限する遮光枠１５を嵌め込むことも可能となっている。遮光枠１５は例えば合成ゴムからなる。
【００１９】
さらに、灯体収納凹部２００内には、光源１０を点灯させる点灯回路を収納した回路ケース４が収納されている。上記の点灯回路は、外部の電源（図示せず）から供給された電力を適宜の電力に変換して光源１０に供給することにより光源１０を点灯させるものである。上記のような点灯回路は、光源１０として発光ダイオードが用いられる場合には例えば周知の直流電源回路を用いて実現することができる。
【００２０】
さらに、ボックス本体２１には、灯体収納凹部２００の内外にそれぞれねじ端子状の構造を有する端子台２４が設けられている。端子台２４は、灯体収納凹部２００内において図示しない電線を介して上記の点灯回路に電気的に接続され、灯体収納凹部２００外において図示しない電源線を介して上記外部の電源に電気的に接続される。
【００２１】
また、ボックス本体２１の外周面には、端子台２４を覆う端子台ケース２５が取り付けられている。端子台ケース２５は、端子台ケース２５の上面以外を構成するケース本体２５１と、例えばねじ止めによってケース本体２５１に結合して端子台ケース２５の上面を構成するケースカバー２５２とからなる。ケース本体２５１の前後両面には、それぞれ切除可能であって切除されたときに上記の電源線が挿通される貫通穴が構成されるノックアウト部２５０が設けられている。ケース本体２５１は、端子台２４の前後両側において例えば溶接によりボックス本体２１の外周面に固定されている。ケース本体２５１とケースカバー２５２とはそれぞれ例えばステンレスからなる。さらに、端子台ケース２５内には、上記の電源線をケース本体２５１に固定する張力止め金具２５３が適宜の個数（例えば端子台２４の前側と後側とに１個ずつ）設けられる。
【００２２】
次に、カバー３について説明する。カバー３は、例えばガラスのような透光性を有する材料からなり厚さ方向を上下方向に向けた円板形状であって光源１０の光を通過させる窓体５と、例えば合成ゴムのような弾性材料からなり窓体５を囲むパッキン６とを有する。すなわち、窓体５の外周と灯体収納凹部２００の内周との間の隙間がパッキン６により閉塞されることで、防水性が確保される。
【００２３】
パッキン６は、灯体収納凹部２００の開口の全周にわたってカバー収納凹部２０１の底面に当接する円筒形状の本体部６１と、本体部６１の外周面の上端部から径方向の外向きに突設されてカバー固定部２６に固定される鍔部６２とを有する。
【００２４】
より具体的には、パッキン６の固定には、上方から見て窓体３１を露出させる環形状であって鍔部６２をカバー固定部２６との間に挟む固定枠７１と、固定枠７１に設けられたねじ挿通穴７１０とカバー固定部２６に設けられた挿通穴２６０とに上方から挿通される複数個（図では４個）の固定ねじ７２と、カバー固定部２６の下側において１本ずつの固定ねじ７２が螺合する複数個の固定ボルト７３とが用いられる。また、各固定ボルト７３には、それぞれ、固定ねじ７２の先端部を覆うボルトキャップ７４が下方から被着される。鍔部６２には、固定ねじ７２を避けるように上下方向と径方向の外向きとに開放されたねじ挿通切り欠き６２０が設けられている。
【００２５】
また、パッキン６において、本体部６１の内周面には、上下方向において窓体４の外周端部を挟む２個の環形状の挟み部６３が突設されている。各挟み部６３は、それぞれ、窓体５の上下の一面に弾接する弾接凸部６３１を有する。
【００２６】
さらに、図１及び図８に示すように、パッキン６において、本体部６１の外周面には、それぞれカバー収納凹部２０１の内周面に全周にわたって弾接する２個の弾接凸部６４，６５が上下に並べて設けられている。上側の弾接凸部（以下、「第１弾接凸部」と呼ぶ。）６４は本体部６１の中心軸を通る断面での断面形状が三角形状とされている。また、下側の弾接凸部（以下、「第２弾接凸部」と呼ぶ。）６５は本体部６１の中心軸を通る断面での断面形状が半円形状であって第１弾接凸部６４よりも突出寸法を大きくされている。
【００２７】
ここで、カバー収納凹部２０１の上端部には、上下方向に直交する断面でのカバー収納凹部２０１の断面形状を上方に向かって大きくする方向に傾斜した傾斜部２０２が設けられている。また、カバー収納凹部２０１の内周面において傾斜部２０２の下側の部位は、軸方向を上下方向に向けた円筒形状となっており、第１弾接凸部６４と第２弾接凸部６５とはそれぞれ上記の円筒形状の部位の内周面に弾接する。カバー収納凹部２０１の中心軸を通る断面での傾斜部２０２の断面形状は、内向き斜め上側に凸の４分の１円弧形状（いわゆるＲ形状）とされており、下端が上記の円筒形状に滑らかに連続し、上端がカバー固定部２６に滑らかに連続する。
【００２８】
また、パッキン６において、第１弾接凸部６４の上側には、本体部６１の外周面と鍔部６２の下面とに連結されて上記の傾斜部２０２に全周にわたって弾接する連結凸部６６が突設されている。連結凸部６６の外周面は下方に向かって突出寸法を小さくするように傾斜しており、弾性変形していない状態での連結凸部６６の外周面は全体として円錐台形状となる。
【００２９】
上記構成によれば、パッキン６がボックス２の上向きの面のみに弾接する場合に比べ、パッキン６とボックス２との間に砂等の異物が挟まれにくいから、防水性が改善される。
【００３０】
また、図９に示すようにパッキン６に連結凸部６６を設けない場合に比べ、パッキン６がボックス２により密着することで防水性が改善される。
【００３１】
さらに、第１弾接凸部６４や第２弾接凸部６５を設けない場合に比べ、防水性が改善される。
【符号の説明】
【００３２】
１  灯体
２  ボックス
３  カバー
５  窓体
６  パッキン
１０  光源
６１  本体部
６２  鍔部
６４  第１弾接凸部
６５  第２弾接凸部
６６  連結凸部
２００  灯体収納凹部
２０１  カバー収納凹部
２０２  傾斜部
【図１】
0005906417.tif 000002
【図２】
0005906417.tif 000003
【図３】
0005906417.tif 000004
【図４】
0005906417.tif 000005
【図５】
0005906417.tif 000006
【図６】
0005906417.tif 000007
【図７】
0005906417.tif 000008
【図８】
0005906417.tif 000009
【図９】
0005906417.tif 000010